(57)【要約】  本発明の実施形態は、リソース指示方法、ユーザ機器、およびネットワークデバイスを提供する。本方法は、以下のステップ、すなわち、ネットワークデバイスによって、構成情報をユーザ機器に送信するステップであって、構成情報が、複数の第1のシステムパラメータの周波数ドメインリソースの割り当て情報を含む、ステップと、ユーザ機器によって、ネットワークデバイスによって送信された構成情報を受信するステップと、複数の第1のシステムパラメータにおける少なくとも1つのシステムパラメータの周波数ドメインリソースに対応する時間−周波数リソース内の少なくとも1つのリソース要素上で、物理チャネルに対応する情報および／または物理信号に対応する情報を送信するステップと、を含む。本発明の実施形態では、複数のシステムパラメータの共存シナリオにおけるリソース割り当てステータスが示され得る。
2020504546.tif 000002
【特許請求の範囲】
【請求項１】
ユーザ機器によって、ネットワークデバイスによって送信された構成情報を受信するステップであって、前記構成情報が、複数の第1のシステムパラメータの周波数ドメインリソースの割り当て情報を含む、ステップと、
前記ユーザ機器によって、前記複数の第1のシステムパラメータのうちの少なくとも1つの周波数ドメインリソースに対応する時間−周波数リソース内の少なくとも1つのリソース要素上で、物理チャネルに対応する情報および／または物理信号に対応する情報を送信するステップと、
を含む、リソース指示方法であって、
前記第1のシステムパラメータが、第1のサブキャリア間隔サイズ、サイクリックプレフィックス長、送信時間間隔長、シンボル長、およびシンボル数などのパラメータのうちの少なくとも1つを含む、
リソース指示方法。
【請求項２】
前記第1のシステムパラメータの前記周波数ドメインリソースが、前記第1のシステムパラメータの前記周波数ドメインリソースの割り当て情報、前記第1のシステムパラメータ、および第2のシステムパラメータによって決定され、前記第2のシステムパラメータが、第2のサブキャリア間隔サイズを含む、請求項1に記載の方法。
【請求項３】
前記複数の第1のシステムパラメータが、前記ネットワークデバイスによってサポートされるシステムパラメータであり、前記第2のシステムパラメータが、システム周波数ドメインリソースを分割するための基準システムパラメータである、請求項2に記載の方法。
【請求項４】
前記構成情報が、前記第2のシステムパラメータの識別子をさらに含む、請求項1から3のいずれか一項に記載の方法。
【請求項５】
前記構成情報が、前記第1のシステムパラメータの識別子をさらに含む、請求項1から4のいずれか一項に記載の方法。
【請求項６】
前記構成情報が、共通レベルダウンリンク制御情報であり、前記共通レベルダウンリンク制御情報のサイクリックリダンダンシチェックが、セル共通識別子を用いてスクランブルされる、または前記共通レベルダウンリンク制御情報の凍結ビットが、前記セル共通識別子である、請求項5に記載の方法。
【請求項７】
前記構成情報が、共通レベルダウンリンク制御情報であり、前記共通レベルダウンリンク制御情報のサイクリックリダンダンシチェックが、前記第1のシステムパラメータの識別子を用いてスクランブルされる、または前記共通レベルダウンリンク制御情報の凍結ビットが、前記第1のシステムパラメータの前記識別子である、請求項1から4のいずれか一項に記載の方法。
【請求項８】
前記構成情報が、上位層シグナリングであり、前記上位層シグナリングが、専用無線リソース制御シグナリング、システムメッセージ、ランダムアクセス応答メッセージ、メッセージ4、または媒体アクセス制御の制御要素で搬送される、請求項1から5のいずれか一項に記載の方法。
【請求項９】
ネットワークデバイスによって、構成情報をユーザ機器に送信するステップであって、前記構成情報が、複数の第1のシステムパラメータの周波数ドメインリソースの割り当て情報を含み、前記複数の第1のシステムパラメータのうちの少なくとも1つの周波数ドメインリソースに対応する時間−周波数リソース内の少なくとも1つのリソース要素が、物理チャネルに対応する情報および／または物理信号に対応する情報を送信するために前記ユーザ機器によって使用される、ステップと、
を含む、リソース指示方法であって、
前記第1のシステムパラメータが、第1のサブキャリア間隔サイズ、サイクリックプレフィックス長、送信時間間隔長、シンボル長、およびシンボル数などのパラメータのうちの少なくとも1つを含む、
リソース指示方法。
【請求項１０】
ネットワークデバイスによって、構成情報をユーザ機器に送信する、前記ステップの前に、
前記ネットワークデバイスによって、前記複数の第1のシステムパラメータの前記周波数ドメインリソースの前記割り当て情報を取得するために、前記複数の第1のシステムパラメータに前記周波数ドメインリソースを割り当てるステップ
をさらに含む、請求項9に記載の方法。
【請求項１１】
前記第1のシステムパラメータの前記周波数ドメインリソースが、前記第1のシステムパラメータの前記周波数ドメインリソースの割り当て情報、前記第1のシステムパラメータ、および第2のシステムパラメータによって決定され、前記第2のシステムパラメータが、第2のサブキャリア間隔サイズを含む、請求項9または10に記載の方法。
【請求項１２】
前記複数の第1のシステムパラメータが、前記ネットワークデバイスによってサポートされるシステムパラメータであり、前記第2のシステムパラメータが、システム周波数ドメインリソースを分割するための基準システムパラメータである、請求項11に記載の方法。
【請求項１３】
前記構成情報が、前記第2のシステムパラメータの識別子をさらに含む、請求項9から12のいずれか一項に記載の方法。
【請求項１４】
前記構成情報が、前記第1のシステムパラメータの識別子をさらに含む、請求項9から13のいずれか一項に記載の方法。
【請求項１５】
前記構成情報が、共通レベルダウンリンク制御情報であり、前記共通レベルダウンリンク制御情報のサイクリックリダンダンシチェックが、セル共通識別子を用いてスクランブルされる、または前記共通レベルダウンリンク制御情報の凍結ビットが、前記セル共通識別子である、請求項14に記載の方法。
【請求項１６】
前記構成情報が、共通レベルダウンリンク制御情報であり、前記共通レベルダウンリンク制御情報のサイクリックリダンダンシチェックが、前記第1のシステムパラメータの識別子を用いてスクランブルされる、または前記共通レベルダウンリンク制御情報の凍結ビットが、前記第1のシステムパラメータの前記識別子である、請求項9から13のいずれか一項に記載の方法。
【請求項１７】
前記構成情報が、上位層シグナリングであり、前記上位層シグナリングが、専用無線リソース制御シグナリング、システムメッセージ、ランダムアクセス応答メッセージ、メッセージ4、または媒体アクセス制御の制御要素で搬送される、請求項9から14のいずれか一項に記載の方法。
【請求項１８】
ネットワークデバイスによって送信された構成情報を受信し、前記構成情報が、複数の第1のシステムパラメータの周波数ドメインリソースの割り当て情報を含む、ように構成される、受信ユニットと、
前記複数の第1のシステムパラメータのうちの少なくとも1つの周波数ドメインリソースに対応する時間−周波数リソース内の少なくとも1つのリソース要素上で、物理チャネルに対応する情報および／または物理信号に対応する情報を送信するように構成される、送信ユニットと、
を備える、ユーザ機器であって、
前記第1のシステムパラメータが、第1のサブキャリア間隔サイズ、サイクリックプレフィックス長、送信時間間隔長、シンボル長、およびシンボル数などのパラメータのうちの少なくとも1つを含む、
ユーザ機器。
【請求項１９】
前記第1のシステムパラメータの前記周波数ドメインリソースが、前記第1のシステムパラメータの前記周波数ドメインリソースの割り当て情報、前記第1のシステムパラメータ、および第2のシステムパラメータによって決定され、前記第2のシステムパラメータが、第2のサブキャリア間隔サイズを含む、請求項18に記載のユーザ機器。
【請求項２０】
前記複数の第1のシステムパラメータが、前記ネットワークデバイスによってサポートされるシステムパラメータであり、前記第2のシステムパラメータが、システム周波数ドメインリソースを分割するための基準システムパラメータである、請求項17から19のいずれか一項に記載のユーザ機器。
【請求項２１】
前記構成情報が、前記第2のシステムパラメータの識別子をさらに含む、請求項17から20のいずれか一項に記載のユーザ機器。
【請求項２２】
前記構成情報が、前記第1のシステムパラメータの識別子をさらに含む、請求項17から21のいずれか一項に記載のユーザ機器。
【請求項２３】
前記構成情報が、共通レベルダウンリンク制御情報であり、前記共通レベルダウンリンク制御情報のサイクリックリダンダンシチェックが、セル共通識別子を用いてスクランブルされる、または前記共通レベルダウンリンク制御情報の凍結ビットが、前記セル共通識別子である、請求項22に記載のユーザ機器。
【請求項２４】
前記構成情報が、共通レベルダウンリンク制御情報であり、前記共通レベルダウンリンク制御情報のサイクリックリダンダンシチェックが、前記第1のシステムパラメータの識別子を用いてスクランブルされる、または前記共通レベルダウンリンク制御情報の凍結ビットが、前記第1のシステムパラメータの前記識別子である、請求項18から21のいずれか一項に記載のユーザ機器。
【請求項２５】
前記構成情報が、上位層シグナリングであり、前記上位層シグナリングが、専用無線リソース制御シグナリング、システムメッセージ、ランダムアクセス応答メッセージ、メッセージ4、または媒体アクセス制御の制御要素で搬送される、請求項18から24のいずれか一項に記載のユーザ機器。
【請求項２６】
構成情報をユーザ機器に送信し、前記構成情報が、複数の第1のシステムパラメータの周波数ドメインリソースの割り当て情報を含み、前記複数の第1のシステムパラメータのうちの少なくとも1つの周波数ドメインリソースに対応する時間−周波数リソース内の少なくとも1つのリソース要素が、物理チャネルに対応する情報および／または物理信号に対応する情報を送信するために前記ユーザ機器によって使用される、ように構成される、送信ユニット
を備える、ネットワークデバイスであって、
前記第1のシステムパラメータが、第1のサブキャリア間隔サイズ、サイクリックプレフィックス長、送信時間間隔長、シンボル長、およびシンボル数などのパラメータのうちの少なくとも1つを含む、
ネットワークデバイス。
【請求項２７】
前記ネットワークデバイスが、
前記複数の第1のシステムパラメータの前記周波数ドメインリソースの割り当て情報を取得するために、前記複数の第1のシステムパラメータに前記周波数ドメインリソースを割り当てるように構成される、処理ユニット
をさらに備える、請求項26に記載のネットワークデバイス。
【請求項２８】
前記第1のシステムパラメータの前記周波数ドメインリソースが、前記第1のシステムパラメータの前記周波数ドメインリソースの割り当て情報、前記第1のシステムパラメータ、および第2のシステムパラメータによって決定され、前記第2のシステムパラメータが、第2のサブキャリア間隔サイズを含む、請求項26または27に記載のネットワークデバイス。
【請求項２９】
前記複数の第1のシステムパラメータが、前記ネットワークデバイスによってサポートされるシステムパラメータであり、前記第2のシステムパラメータが、システム周波数ドメインリソースを分割するための基準システムパラメータである、請求項28に記載のネットワークデバイス。
【請求項３０】
前記構成情報が、前記第2のシステムパラメータの識別子をさらに含む、請求項26から29のいずれか一項に記載のネットワークデバイス。
【請求項３１】
前記構成情報が、前記第1のシステムパラメータの識別子をさらに含む、請求項26から30のいずれか一項に記載のネットワークデバイス。
【請求項３２】
前記構成情報が、共通レベルダウンリンク制御情報であり、前記共通レベルダウンリンク制御情報のサイクリックリダンダンシチェックが、セル共通識別子を用いてスクランブルされる、または前記共通レベルダウンリンク制御情報の凍結ビットが、前記セル共通識別子である、請求項31に記載のネットワークデバイス。
【請求項３３】
前記構成情報が、共通レベルダウンリンク制御情報であり、前記共通レベルダウンリンク制御情報のサイクリックリダンダンシチェックが、前記第1のシステムパラメータの識別子を用いてスクランブルされる、または前記共通レベルダウンリンク制御情報の凍結ビットが、前記第1のシステムパラメータの前記識別子である、請求項26から30のいずれか一項に記載のネットワークデバイス。
【請求項３４】
前記構成情報が、上位層シグナリングであり、前記上位層シグナリングが、専用無線リソース制御シグナリング、システムメッセージ、ランダムアクセス応答メッセージ、メッセージ4、または媒体アクセス制御の制御要素で搬送される、請求項26から31のいずれか一項に記載のネットワークデバイス。
【請求項３５】
プロセッサと通信モジュールとを備える、ユーザ機器であって、前記ユーザ機器が、請求項1から8のいずれか一項に記載のリソース指示方法を実行するように構成される、ユーザ機器。
【請求項３６】
プロセッサと送受信機とを備える、ネットワークデバイスであって、前記ネットワークデバイスが、請求項9から17のいずれか一項に記載のリソース指示方法を実行するように構成される、ネットワークデバイス。
【発明の詳細な説明】
【技術分野】
【０００１】
本出願は、2017年1月6日に中国国家知識財産権局に出願された「RESOURCE INDICATION METHOD，USER EQUIPMENT，AND NETWORK DEVICE」と題する中国特許出願第201710010466．3号の優先権を主張するものであり、この出願の内容全体を本願明細書に援用する。
【０００２】
本発明は、通信技術の分野に関し、具体的には、リソース指示方法、ユーザ機器、およびネットワークデバイスに関する。
【背景技術】
【０００３】
通信技術の発展に伴い、第3世代パートナーシッププロジェクト（3rd Generation Partnership Project、3GPP）は、第5世代ネットワーク（5th Generation、5G）new radio（New Radio、NR）規格を策定し、複数のシステムパラメータ（numerology）を柔軟にサポートすることが、NRの重要な特徴の1つである。
【０００４】
異なるシステムパラメータが、直交周波数分割多元（Orthogonal Frequency Division Multiplexing、OFDM）システムにおける異なるサブキャリア間隔に対応する。現在、NRは、15＊2nkHz（n∈｛−2，−1，・・・，5｝、これは、サブキャリア間隔の間隔［3．75kHz，480kHz］に対応する）などのサブキャリア間隔をサポートする。システムパラメータに対応するサブキャリア間隔の選択は、スペクトル効率と周波数オフセット耐性との間のトレードオフに依存する。サイクリックプレフィックス（Cyclic Prefix、CP）に基づくOFDMシステムの場合、シンボルはシンボル部分とCP部分とを含む。同じCPオーバーヘッドでは、より小さなサブキャリア間隔は、より長いシンボル部分、より長いOFDMシンボル期間、より高いシステムスペクトル効率、およびより弱いドップラー周波数シフトおよび位相雑音に対する耐性を示す。
【０００５】
NRでは、異なるサービスおよび異なるシナリオは、異なるシステムパラメータを必要とする。NRは、あるセグメントの帯域幅上で、周波数分割多重化（Frequency Division Multiplexing、FDM）および／または時分割多重化（Time Division Multiplexing、TDM）の方式が、異なるシステムパラメータを多重化するために使用され得ることをサポートする。RAN1＃87会議で合意された研究の焦点は、同じセグメントの帯域幅にある複数のシステムパラメータを動的に多重化することであった。
【０００６】
現在、各リソース割り当てタイプに対してロングタームエボリューション（Long Term Evolution、LTE）規格で提供されているリソース指示方法は、15kHzのサブキャリア間隔に対応するシステムパラメータに適用可能である。例えば、ダウンリンクリソース割り当てタイプ2の場合、ユーザ機器に割り当てられるリソースは、連続した仮想リソースブロック（Virtual Resource Block、VRB）のセグメントである。VRBを物理リソースブロック（Physical Resource Block、PRB）にマッピングする方式は、集中型でも分散型でもよい。このリソース割り当てタイプのためのリソース指示方法は、ダウンリンク制御情報（Downlink Control Information、DCI）によって指示される。DCIフォーマットのビットは、マッピング方式が集中型または分散型であることを示すために使用され、DCIフォーマットのリソース指示ビットは、ユーザ機器に割り当てられた開始リソースブロックおよび連続して割り当てられたリソースブロックの長さを示すために使用される。
【０００７】
しかしながら、15kHzに対応するシステムパラメータに対するリソース指示方法は、単一システムパラメータシナリオにおいてリソース割り当てステータスを示すことはできるが、複数のシステムパラメータの共存シナリオにおいてリソース割り当てステータスを示すことはできない。
【発明の概要】
【０００８】
本発明の実施形態は、複数のシステムパラメータの共存シナリオにおけるリソース割り当てステータスを示すために、リソース指示方法、ユーザ機器、およびネットワークデバイスを提供する。
【課題を解決するための手段】
【０００９】
本発明の実施形態の第1の態様は、
ネットワークデバイスによって、構成情報をユーザ機器に送信するステップであって、構成情報が、複数の第1のシステムパラメータの周波数ドメインリソースの割り当て情報を含む、ステップと、ユーザ機器によって、ネットワークデバイスによって送信された構成情報を受信するステップと、複数の第1のシステムパラメータのうちの少なくとも1つの周波数ドメインリソースに対応する時間−周波数リソース内の少なくとも1つのリソース要素上で、物理チャネルに対応する情報および／または物理信号に対応する情報を送信するステップと、
を含む、リソース割り当て方法を提供する。
【００１０】
第1のシステムパラメータは、第1のサブキャリア間隔サイズ、サイクリックプレフィックス長、送信時間間隔長、シンボル長、およびシンボル数などのパラメータのうちの少なくとも1つを含む。
【００１１】
本発明の実施形態の第1の態様によれば、複数の第1のシステムパラメータの周波数ドメインリソースが構成情報を用いて示され、その結果、複数のシステムパラメータの共存シナリオにおけるリソース割り当てステータスが指示され得る。
【００１２】
可能な実装形態では、構成情報をユーザ機器に送信するステップの前に、ネットワークデバイスが、複数の第1のシステムパラメータの周波数ドメインリソースの割り当て情報を取得するために、複数の第1のシステムパラメータに周波数ドメインリソースを割り当て、その結果、ネットワークデバイスが、構成情報をユーザ機器に送信する。
【００１３】
可能な実装形態では、第1のシステムパラメータの周波数ドメインリソースが、第1のシステムパラメータの周波数ドメインリソースの割り当て情報、第1のシステムパラメータ、および第2のシステムパラメータによって決定され、第2のシステムパラメータが、第2のサブキャリア間隔サイズを含む。ユーザ機器は、第1のシステムパラメータの周波数ドメインリソースの割り当て情報、第1のシステムパラメータ、および第2のシステムパラメータに基づいて、第1のシステムパラメータの周波数ドメインリソースを決定することができる。換言すれば、ユーザ機器は、ネットワークデバイスによって第1のシステムパラメータに割り当てられる周波数ドメインリソースを決定し、その結果、ユーザ機器は、その後、周波数ドメインリソースを使用する。
【００１４】
可能な実装形態では、複数の第1のシステムパラメータが、ネットワークデバイスによってサポートされるシステムパラメータであり、第2のシステムパラメータが、システム周波数ドメインリソースを分割するための基準システムパラメータである。
【００１５】
可能な実装形態では、構成情報が、第2のシステムパラメータの識別子をさらに含み、第2のシステムパラメータの識別子が、システム周波数ドメインリソースを分割するための基準システムパラメータを識別するために使用される。
【００１６】
可能な実装形態では、構成情報は、第1のシステムパラメータの識別子をさらに含み、第1のシステムパラメータの識別子が、すべての第1のシステムパラメータに対応する周波数ドメインリソースの割り当て情報をユーザ機器に通知し、割り当て情報と第1のシステムパラメータとの間の対応関係を確立するために使用される。
【００１７】
可能な実装形態では、構成情報が、共通レベルダウンリンク制御情報であり、共通レベルダウンリンク制御情報のサイクリックリダンダンシチェックが、セル共通識別子を用いてスクランブルされる、または共通レベルダウンリンク制御情報の凍結ビットが、セル共通識別子であり、その結果、ユーザ機器は、すべての第1のシステムパラメータに対応する周波数ドメインリソースの割り当て情報を取得するために、セル共通識別子を使用することによって復元または復号される。
【００１８】
可能な実装形態では、構成情報が、共通レベルダウンリンク制御情報であり、共通レベルダウンリンク制御情報のサイクリックリダンダンシチェックが、第1のシステムパラメータの識別子を用いてスクランブルされる、または共通レベルダウンリンク制御情報の凍結ビットが、第1のシステムパラメータの識別子であり、その結果、ユーザ機器は、ユーザ機器によってサポートされる第1のシステムパラメータに対応する周波数ドメインリソースの割り当て情報を取得するために、第1のシステムパラメータの識別子を使用することによって復元または復号を実行する。これは、共通レベルダウンリンク制御情報のサイズを縮小し、ユーザ機器のためのブラインド検出または復号の複雑さを軽減することができる。
【００１９】
構成情報は、共通レベルダウンリンク制御情報であり、シグナリングオーバーヘッドをある程度減らすことができる。
【００２０】
可能な実装形態では、構成情報が、上位層シグナリングであり、上位層シグナリングが、専用無線リソース制御シグナリング、システムメッセージ、ランダムアクセス応答メッセージ、メッセージ4、または媒体アクセス制御の制御要素で搬送される。
【００２１】
本発明の実施形態の第2の態様は、仮想リソースブロックを物理リソースブロックにマッピングするための方法であって、
ネットワークデバイスによって、スケジューリング情報をユーザ機器に送信するステップであって、スケジューリング情報が、少なくとも1つの第1のシステムパラメータに対応する第1の仮想リソースブロックとマッピング指示情報とを含む、ステップと、ユーザ機器によって、ネットワークデバイスによって送信されたスケジューリング情報を受信し、少なくとも1つの第1のシステムパラメータに対応する物理リソースブロックを取得するために、スケジューリング情報に基づいてリソースブロックマッピングを実行し、物理リソースブロック上で物理チャネルに対応する情報および／または物理信号に対応する情報を送信する、ステップと、
を含む、方法を提供する。
【００２２】
本発明の実施形態の第2の態様によれば、マッピング方式および少なくとも1つの第1のシステムパラメータに対応する第1の仮想リソースブロックがスケジューリング情報を使用して示され、その結果、ユーザ機器は、複数のシステムパラメータの共存シナリオにおけるリソース割り当てステータスを示すために、スケジューリング情報に基づいて、リソースブロックマッピングを実行する。
【００２３】
可能な実装形態では、少なくとも1つの第1のシステムパラメータに対応する第1の仮想リソースブロックは、すべての第1のシステムパラメータに対応する第1の仮想リソースブロックの番号を含み、その結果、ユーザ機器が、すべての第1のシステムパラメータに対応する第1の仮想リソースブロックを明確に知る。
【００２４】
可能な実装形態では、マッピング指示情報によって示されるマッピング方式が集中型マッピングである場合、ユーザ機器は、集中型マッピング方式で、すべての第1のシステムパラメータに対応する第1の仮想リソースブロックの番号に基づいて、すべての第1のシステムパラメータに対応する第1の仮想リソースブロックを対応する物理リソースブロックにマッピングする。
【００２５】
可能な実装形態では、マッピング指示情報によって示されるマッピング方式が新しい分散型マッピングである場合、ユーザ機器は、分散型マッピング方式で、すべての第1のシステムパラメータに対応する第1の仮想リソースブロックを第2の仮想リソースブロックにまずマッピングし、具体的には、nVRB，2＝M（nVRB，1）であり、Mは、スロット間のインターリーブおよび周波数ホッピングのうちの少なくとも1つを含む分散型マッピング方式を表し、nVRB，1は、0からNVRB，1−1までの範囲の第1の仮想リソースブロックの番号を表し、NVRB，1＝NRBであり、NRBは、時間−周波数リソースの周波数ドメインにおいて所与の第1のシステムパラメータによって占有されるRBの数である。次いで、ユーザ機器は、集中型マッピング方式で、すべての第1のシステムパラメータに対応する第2の仮想リソースブロックを物理リソースブロックにマッピングし、具体的には、nPRB＝nVRB，2である。
【００２６】
本発明の実施形態の第3の態様は、
ネットワークデバイスによって送信された構成情報を受信し、構成情報が、複数の第1のシステムパラメータの周波数ドメインリソースの割り当て情報を含む、ように構成される、受信ユニットと、
複数の第1のシステムパラメータのうちの少なくとも1つの周波数ドメインリソースに対応する時間−周波数リソース内の少なくとも1つのリソース要素上で、物理チャネルに対応する情報および／または物理信号に対応する情報を送信するように構成される、送信ユニットと、
を備える、ユーザ機器であって、
第1のシステムパラメータが、第1のサブキャリア間隔サイズ、サイクリックプレフィックス長、送信時間間隔長、シンボル長、およびシンボル数などのパラメータのうちの少なくとも1つを含む、
ユーザ機器を提供する。
【００２７】
本発明の実施形態の第3の態様において提供されるユーザ機器は、本発明の実施形態の第1の態様において提供されるリソース指示方法においてユーザ機器によって実行される機能を実装するように構成される。
【００２８】
本発明の実施形態の第4の態様は、
構成情報をユーザ機器に送信し、構成情報が、複数の第1のシステムパラメータの周波数ドメインリソースの割り当て情報を含み、複数の第1のシステムパラメータのうちの少なくとも1つの周波数ドメインリソースに対応する時間−周波数リソース内の少なくとも1つのリソース要素が、物理チャネルに対応する情報および／または物理信号に対応する情報を送信するためにユーザ機器によって使用される、ように構成される、送信ユニット
を備える、ユーザ機器であって、
第1のシステムパラメータが、第1のサブキャリア間隔サイズ、サイクリックプレフィックス長、送信時間間隔長、シンボル長、およびシンボル数などのパラメータのうちの少なくとも1つを含む、
ユーザ機器を提供する。
【００２９】
本発明の実施形態の第4の態様において提供されるネットワークデバイスは、本発明の実施形態の第1の態様において提供されるリソース指示方法においてネットワークデバイスによって実行される機能を実装するように構成される。
【００３０】
本発明の実施形態の第5の態様は、プロセッサと通信モジュールとを備える、別のユーザ機器であって、ユーザ機器が、本発明の実施形態の第1の態様において提供されるリソース指示方法においてユーザ機器によって実行される機能を実装するように構成される、別のユーザ機器を提供する。
【００３１】
本発明の実施形態の第6の態様は、プロセッサと送受信機とを備える、別のネットワークデバイスであって、ネットワークデバイスが、本発明の実施形態の第1の態様において提供されるリソース指示方法においてネットワークデバイスによって実行される機能を実装するように構成される、別のネットワークデバイスを提供する。
【００３２】
本発明の実施形態では、ネットワークデバイスは、複数の第1のシステムパラメータに対応する周波数ドメインリソースを示すために、複数の第1のシステムパラメータの周波数ドメインリソースの割り当て情報を含む構成情報をユーザ機器に送信し、その結果、ユーザ機器は、必要な周波数ドメインリソースに対応する時間−周波数リソース内の少なくとも1つのリソース要素上で、物理チャネルに対応する情報および／または物理信号に対応する情報を送信し、複数のシステムパラメータの共存シナリオにおけるリソース割り当てステータスが示される。
【図面の簡単な説明】
【００３３】
本発明の実施形態における、または従来技術における技術的な解決策をより明確に説明するために、以下、実施形態または従来技術を説明するために必要な添付の図面を簡単に説明する。当然のことながら、以下の説明における添付の図面は、本発明の一部の実施形態を単に示すものであり、当業者は、創造的努力がなくても、これらの添付の図面から他の図面を導出することができる。
【００３４】
【図１】本発明の一実施形態が適用されるネットワークアーキテクチャの概略図である。
【図１ａ】ダウンリンクリソース割り当てタイプ1におけるリソースブロックグループのサブセットの概略図である。
【図２】本発明の一実施形態による、リソース指示方法の概略的な通信図である。
【図３】本発明の一実施形態による、ダウンリンク制御情報フォーマットの概略図である。
【図４】本発明の一実施形態による、別のダウンリンク制御情報フォーマットの概略図である。
【図５】図3に基づいてユーザ機器によって取得された周波数帯域分割情報の概略図である。
【図６】図4に基づいてユーザ機器によって取得された周波数帯域分割情報の概略図である。
【図７】本発明の一実施形態による仮想リソースブロックを物理リソースブロックにマッピングするための方法の概略的な流れ図である。
【図７ａ】ダウンリンク帯域幅が5MHzである集中型リソース割り当てプロセスの概略図である。
【図７ｂ】ダウンリンク帯域幅が5MHzである分散型リソース割り当てプロセスの概略図である。
【図８】図7に示す実施形態による例示的なマッピングの概略図である。
【図９ａ】本発明の一実施形態によるユーザ機器の概略的な構成図である。
【図９ｂ】本発明の一実施形態によるユーザ機器の概略的な構成図である。
【図１０ａ】本発明の一実施形態によるネットワークデバイスの概略的な構造図である。
【図１０ｂ】本発明の一実施形態による別のネットワークデバイスの概略的な構造図である。
【発明を実施するための形態】
【００３５】
図1は、本発明の一実施形態が適用されるネットワークアーキテクチャの概略図である。ネットワークアーキテクチャの概略図は、LTE通信システムにおけるネットワークアーキテクチャであってもよいし、ユニバーサル移動体通信システム（Universal Mobile Telecommunications System、UMTS）地上無線アクセスネットワーク（UMTS Terrestrial Radio Access Network、UTRAN）アーキテクチャ、または汎欧州デジタル移動電話方式（Global System for Mobile Communications、GSM（登録商標、以下同じ））／GSM進化型高速拡張データレート（Enhanced Data Rate for GSM Evolution、EDGE）システムの無線アクセスネットワーク（GSM EDGE Radio Access Network、GERAN）アーキテクチャであってもよいし、5G通信システムアーキテクチャであってもよい。ネットワークアーキテクチャの概略図は、モビリティ管理エンティティ（Mobility Management Entity、MME）／サービングゲートウェイ（Serving GateWay、SGW）、基地局、およびユーザ機器（User Equipment、UE）を含む。図1に示されるMME／SGW、基地局、およびUEの形態および数は、説明のための例として使用され、本発明の実施形態に対する限定を構成しないことに留意されたい。
【００３６】
MMEは、3GPP LTEにおける重要な制御ノードであり、コアネットワーク要素であり、シグナリング処理部、すなわちアクセス制御、モビリティ管理、アタッチメントおよびデタッチメント、セッション管理機能、ならびにゲートウェイ選択などの機能を含む制御プレーン機能を主に担当する。SGWは、3GPP LTEにおけるコアネットワーク要素の重要なネットワーク要素であり、ユーザデータを転送する、具体的にはMMEの制御下でデータパケットを経路指定および転送する、ユーザプレーン機能を主に担っている。
【００３７】
基地局は、ユーザ機器と通信するように構成され、GSMシステムまたは符号分割多元接続（Code Division Multiple Access、CDMA）におけるベーストランシーバ基地局（Base Transceiver Station、BTS）であってもよいし、WCDMA（登録商標）システムにおけるNodeB（Node B、NB）であってもよいし、LTEシステムにおける発展型NodeB（Evolutional Node B、eNB）であってもよいし、5Gシステムにおける基地局または将来の通信システムにおける基地局であってもよい。基地局は、無線リソース管理、サービス品質（Quality of Service、QoS）管理、および無線インターフェース側でのデータ圧縮および暗号化などの機能を主に担っている。コアネットワーク側では、基地局は、制御プレーンシグナリングをMMEに転送し、ユーザプレーンサービスデータをSGWに転送することを主に担当する。
【００３８】
ユーザ機器は、基地局を使用することによってネットワーク側にアクセスするデバイスであり、携帯電話、コードレス電話、セッション・イニシエーション・プロトコル（Session Initiation Protocol、SIP）電話、無線ローカルループ（Wireless Local Loop、WLL）局、携帯情報端末（Personal Digital Assistant、PDA）、無線通信機能を有する携帯機器、無線モデムに接続されたコンピューティングデバイスもしくは別の処理デバイス、車載デバイス、ウェアラブルデバイス、または将来の5Gネットワークの端末デバイスを含み得るが、これらに限定されるものではない。
【００３９】
図1に示されているS1インターフェースは、基地局とコアネットワークとの間の標準インターフェースである。基地局は、制御シグナリングを送信するために使用されるS1−MMEインターフェースを使用することによってMMEに接続される。基地局は、ユーザデータを送信するために使用されるS1−Uインターフェースを使用することによってSGWに接続される。S1−MMEインターフェースとS1−Uインターフェースとを総称してS1インターフェースと呼ぶ。
【００４０】
図1に示されているX2インターフェースは、基地局間の標準インターフェースであり、基地局間の相互通信を実現するために使用される。
【００４１】
図1に示されているUuインターフェースは、ユーザ機器と基地局との間の標準インターフェースであり、ユーザ機器は、Uuインターフェースを使用してLTE／5Gネットワークにアクセスする。
【００４２】
以下、本発明の実施形態において用いられる用語について説明する。
【００４３】
（1）仮想リソースブロックは、媒体アクセス制御（Media Access Control、MAC）層でスケジューリング中に使用され、論理的概念に属する。
【００４４】
（2）物理リソースブロックは、物理層における実際のマッピング中に使用される必要があり、実際の物理的な意味での概念に属する。
【００４５】
（3）システムパラメータは、numerologyの可能な名称であり、本発明の実施形態に対する限定を構成しない。規格またはプロトコルにおけるnumerologyの別の名称もまた、本発明の実施形態の保護範囲内に含まれ得ることが理解されよう。
【００４６】
LTE規格では、ダウンリンクリソース割り当ては、0〜2の3つのリソース割り当てタイプを含み、3つのリソース割り当てタイプは、3つのリソース指示方法に対応する。詳細は以下のとおりである。
【００４７】
（1）ダウンリンクリソース割り当てタイプ0において、ダウンリンク制御情報（Downlink Control Information、DCI）フォーマット1／2／2A／2B／2Cは、ビットマップ（bitmap）を用いて、UEに割り当てられたリソースブロックグループ（Resource Block Group、RBG）を示す。bitmapは合計で
【数１】
2020504546.tif 000003
ビットを含み、
【数２】
2020504546.tif 000004
は、ダウンリンク帯域幅を表し、Pは、RBGのサイズを表し、NRBGは、bitmapに含まれるビット数およびRBGの数も表す。換言すれば、各ビットは1つのRBGに対応する。RBG 0は最上位ビットを表し、RBG NRBG−1は最下位ビットを表し、残りは類推によって推定される。RBGがUEに割り当てられる場合、bitmap内の対応するビットは1に設定され、RBGがUEに割り当てられていない場合、ビットは0に設定される。リソース割り当てタイプ0は、周波数ドメインにおける不連続なRBの割り当てをサポートする。
【００４８】
（2）ダウンリンクリソース割り当てタイプ1では、すべてのRBGがP個のサブセットに分類され、PはRBGのサイズである。各RBGサブセットp（0≦p≦P）は、RBG pから始まり、pの間隔を有するすべてのRBGを含む。UEに割り当てられた仮想リソースブロック（Virtual Resource Block、VRB）は、同じサブセットから来る必要がある。図1aに示されるように、25個のRBが2つのサブセット（サブセット0およびサブセット1）に分類される。サブセット0は、RBG 0から始まり、間隔が2のすべてのRBGを含む。サブセット1は、RBG 1から始まり、間隔が2のすべてのRBGを含む。
【００４９】
リソース割り当てタイプ1では、DCI format1／2／2A／2B／2Cは、3つのフィールドを使用して、UEに割り当てられたVRBを示す（注：リソース割り当てタイプ0とは異なり、ここではRBGの代わりにVRBが使用される）。リソース割り当てタイプ1は、周波数ドメインにおける不連続なRBの割り当てをサポートする。
【００５０】
（3）ダウンリンクリソース割り当てタイプ2では、UEに割り当てられるリソースは連続したVRBのセグメントであり、VRBは集中型または分散型であり得る。DCIフォーマット1A／1B／1Dの場合、集中型VRB（ビットは0）を使用するか分散型VRBを使用するかを示すために使用されるビット（集中型（Localized）／分散型（Distributed）VRB割り当て識別フィールドに対応する）がある。DCIフォーマット1A／1B／1Dの場合、リソース割り当ては、リソースインジケータ値（Resource Indicate Value、RIV）によって示される。この値を用いて、UEに割り当てられた開始RB（RBstart）および連続して割り当てられたRBの長さ（LCRB）を推定することができる。リソース割り当てタイプ2は、連続したVRBの割り当てのみをサポートする。
【００５１】
これに対応して、アップリンクリソース割り当ては、0および1の2つのリソース割り当てタイプを含み、2つのリソース割り当てタイプは、2つのリソース指示方法に対応する。詳細は以下のとおりである。
【００５２】
（1）アップリンクリソース割り当てタイプ0の処理は、DCIフォーマット1A／1B／1Dのダウンリンクリソース割り当てタイプ2の処理と基本的に同じであるが、アップリンクデータ伝送では、ダウンリンクシステム帯域幅
【数３】
2020504546.tif 000005
の代わりに、アップリンクシステム帯域幅
【数４】
2020504546.tif 000006
を計算に用いる。
【００５３】
（2）アップリンクリソース割り当てタイプ1では、リソース割り当て情報は、2つのRBセットがUEに割り当てられ、各セットがサイズPの1つ以上の連続したRBGを含むことを示す。Pは、RBGに含まれる連続したRBの数を表す。DCIフォーマット0／4では、リソースブロック割り当て（Resource block assignment）フィールドは、コンビナトリアルインデックス（combinatorial index）rを表す。rは、RBセット1内の開始RBGのインデックスS0と終了RBGのインデックスs1−1と、RBセット2内の開始RBGのインデックスS2と終了RBGのインデックスs3−1とを示す。
【００５４】
上述のリソース割り当てタイプおよびリソース指示方法はすべて、15kHzのサブキャリア間隔に対応するシステムパラメータに適用可能である。しかしながら、複数のシステムパラメータの共存シナリオにおいては指示を実行できない。
【００５５】
これを考慮して、本発明の実施形態は、リソース指示方法、ユーザ機器、およびネットワークデバイスを提供し、これは、複数のシステムパラメータの共存シナリオに適用可能であり、複数のシステムパラメータの共存シナリオにおけるリソース割り当てステータスを示すことができる。
【００５６】
本発明の実施形態におけるユーザ機器は、携帯電話、コードレス電話、無線通信機能を有する携帯機器、無線モデムに接続されたコンピューティングデバイスもしくは別の処理デバイス、車載デバイス、ウェアラブルデバイス、または将来の5Gネットワークの端末デバイスを含み得るが、これらに限定されるものではない。本発明の実施形態におけるネットワークデバイスは、図1に示されるネットワークアーキテクチャの概略図における基地局またはコアネットワーク要素であり得る。
【００５７】
以下、本発明の実施形態において提供されるリソース指示方法、ユーザ機器、およびネットワークデバイスを詳細に説明する。
【００５８】
図2は、本発明の一実施形態による、リソース指示方法の概略的な通信図である。本方法は、ステップ201からステップ203を含む。
【００５９】
201．ネットワークデバイスが、構成情報をユーザ機器に送信し、構成情報が、複数の第1のシステムパラメータの周波数ドメインリソースの割り当て情報を含む。
【００６０】
複数の第1のシステムパラメータは、ネットワークデバイスによってサポートされるシステムパラメータであり、複数の第1のシステムパラメータのうちのいずれか1つが、サブキャリア間隔サイズ、サイクリックプレフィックスCPタイプ、または時間単位タイプに対応するシンボル数のうちの少なくとも1つを含む。CPタイプは、CPオーバーヘッドに基づいて決定され、時間単位タイプは、LTEシステムにおけるサブフレーム、またはNRシステムにおけるスロット、ミニスロット、アグリゲートスロット、およびアグリゲートミニスロットであり得る。シンボルは、シンボル部分とCP部分とを含む。同じCPオーバーヘッドの場合、より小さいサブキャリア間隔は、より長いシンボル部分、具体的には、時間単位タイプに対応するより多いシンボル数を示す。サブキャリア間隔サイズ、CPタイプ、および時間単位タイプに対応するシンボル数は、システムパラメータの3つの要素であり、任意の1つの要素がシステムパラメータを反映することができることが理解されよう。現在、NRによってサポートされるサブキャリア間隔サイズは、15＊2nkHz（サブキャリア間隔の間隔［3．75kHz，480kHz］に対応する、n∈｛−2，−1，・・・，5｝）であり得る。本発明の本実施形態では、nの値の範囲は、−2から5の範囲に限定されない場合もある。
【００６１】
サブキャリア間隔サイズの一例では、複数の第1のシステムパラメータは、15kHzおよび30kHzなどの複数の異なるサブキャリア間隔サイズを含んでもよいし、2つの15kHzサブキャリア間隔などの、2つ以上の同じサブキャリア間隔サイズを含んでもよいことに留意されたい。
【００６２】
場合により、構成情報をユーザ機器に送信するステップの前に、ネットワークデバイスが、複数の第1のシステムパラメータの周波数ドメインリソースの割り当て情報を取得するために、複数の第1のシステムパラメータに周波数ドメインリソースを割り当てる。ネットワークデバイスによって、周波数ドメインリソースを複数の第1のシステムパラメータに割り当てるための具体的な方法は、本明細書では限定されず、割り当て方法はネットワークデバイスによって決定される。割り当てプロセス中、同じ周波数ドメインリソースが2つ以上の第1のシステムパラメータに割り当てられてもよいし、異なる周波数ドメインリソースが複数の第1のシステムパラメータに割り当てられてもよい。
【００６３】
割り当てプロセス中に、ネットワークデバイスは、基準システムパラメータに基づいてシステム周波数ドメインリソース（システム帯域幅）を分割することができ、本発明の本実施形態では、基準システムパラメータは第2のシステムパラメータと呼ばれる。第2のシステムパラメータは、サブキャリア間隔サイズを含む。第2のシステムパラメータのサブキャリア間隔サイズは、デフォルトでもよいし、ネットワークデバイスによって自律的に設定されてもよく、具体的な値は15＊2nkHzのうちの1つである。第2のシステムパラメータの識別子は、ユーザ機器に通知され得る。具体的には、第2のシステムパラメータのサブキャリア間隔サイズが通知される。サブキャリア間隔サイズがデフォルトサブキャリア間隔サイズである場合、デフォルトサブキャリア間隔サイズはネットワークデバイスおよびユーザ機器によってデフォルトで事前定義および学習され得るため、ネットワークデバイスはユーザ機器にデフォルトサブキャリア間隔サイズを通知しない。例えば、初期アクセスのデフォルトのサブキャリア間隔サイズは15kHz、またはサブ6GHzシナリオのデータチャネルでサポートされる60kHzの最大サブキャリア間隔サイズである。
【００６４】
場合により、ネットワークデバイスは、上位層または物理層シグナリングを使用することによって第2のシステムパラメータの識別子をユーザ機器に通知する。上位層シグナリングは、マスタ情報ブロック（Master Information Block、MIB）、システム情報ブロック（System Information Block、SIB）、ランダムアクセス応答メッセージ（Msg．2）、メッセージ4（Msg．4）などを含み得る。物理層シグナリングは、DCIなどを含み得る。
【００６５】
ネットワークデバイスは、図1に示されるUuインターフェースを使用することによって構成情報をユーザ機器に送信することができ、構成情報が、複数の第1のシステムパラメータの周波数ドメインリソースの割り当て情報を含み、複数の第1のシステムパラメータの周波数ドメインリソースを示すために使用される。
【００６６】
可能な実装形態では、第2のシステムパラメータのサブキャリア間隔サイズがデフォルトのサブキャリア間隔サイズではない場合、構成情報が、第2のシステムパラメータの識別子をさらに含み、その結果、ユーザ機器が、第2のシステムパラメータに基づいてシステム帯域リソースを分割する。
【００６７】
可能な実装形態では、構成情報は、すべての第1のシステムパラメータの識別子を特に含む、複数の第1のシステムパラメータの識別子をさらに含み、異なる第1のシステムパラメータは異なる識別子に対応する。この場合、構成情報は、異なる第1のシステムパラメータに対応する周波数ドメインリソースの割り当て情報を示すために用いられ、異なる第1のシステムパラメータと周波数ドメインリソースの割り当て情報との間の対応関係は、1対1であってもよい。具体的には、異なる第1のシステムパラメータは、異なる周波数ドメインリソースを占有する。異なる第1のシステムパラメータと周波数ドメインリソースの割り当て情報との間の対応関係は、多対1であってもよい。具体的には、2つ以上の第1のシステムパラメータが、同じ周波数ドメインリソースを占有し得る。
【００６８】
可能な実装形態では、構成情報は、共通レベルダウンリンク制御情報であり、共通レベルは、セルレベルまたはUEグループレベルであり得る。共通レベルダウンリンク制御情報は、セルユーザとUEグループ内のユーザとが検出する必要がある共通ダウンリンク制御情報であり、ダウンリンク制御チャネルを介した共通サーチスペースとUEグループ内のサーチスペースとに別々に配置される。
【００６９】
受信側によって受信されるデータの精度をさらに向上させるために、受信側はデータを受信する前にエラー検出を実行する必要がある。受信側は、検出結果が正しい場合にのみ実際にデータを受信する。複数の検出方式が存在する。一般的な方式は、パリティチェック、インターネットチェック、サイクリックリダンダンシチェック（Cyclic Redundancy Check、CRC）などを含む。本発明の本実施形態では、CRCは、共通レベルダウンリンク制御情報を検出するために使用される。CRCは、ネットワークデータパケットやコンピュータファイルなどのデータに基づいて固定ビットで短いチェックコードを生成するハッシュ関数で、データ送信中またはデータ格納後に発生する可能性があるエラーの検出またはチェックに主に使用される。
【００７０】
場合により、共通レベルダウンリンク制御情報のCRCは、セルまたはUEグループ共通識別子を使用することによってスクランブルされる。セル共通識別子は、セル内のユーザの共通情報であり、予め定義されているか、または上位層シグナリングを用いて構成されており、物理セル識別子（Physical Cell Identity、PCI）、ハイパーセル識別子（hyper−cell Identity）、無線ネットワーク一時識別子（Radio Network Temporary Identity、RNTI）などを含む。UEグループ共通識別子は、UEグループ内のユーザの共通情報である。
【００７１】
場合により、共通レベルダウンリンク制御情報のCRCは、第1のシステムパラメータの識別子を使用することによってスクランブルされる。第1のシステムパラメータの識別子を用いてスクランブルを実行することは、第1のシステムパラメータの識別子を間接的に示すことができる。複数の第1のシステムパラメータにおいて、各第1のシステムパラメータは、異なる識別子を有する。各第1のシステムパラメータの識別子は、1つの共通レベルダウンリンク制御情報に対応する。具体的には、各共通レベルダウンリンク制御情報のCRCは、対応する第1のシステムパラメータの識別子を用いてスクランブルされる。この場合、共通レベルダウンリンク制御情報の量は比較的多いが、ユーザ機器にとって、スクランブルは、ユーザ機器によってサポートされる第1のシステムパラメータの識別子を使用することによってのみ実行され得る。ユーザ機器によってサポートされる1つ以上の第1のシステムパラメータが存在し得る。CRCは、第1のシステムパラメータの識別子を用いてスクランブルされるので、この場合、構成情報は、第1のシステムパラメータの識別子を再度示す必要はない。従って、共通レベルダウンリンク制御情報のサイズを減らすことができ、UEに対するブラインド検出の複雑さを減らすことができる。
【００７２】
場合により、共通レベルダウンリンク制御情報の凍結ビットが、セル共通識別子である。凍結ビットがポーラ（Polar）符号である構成方法では、N個のチャネルからより良いチャネル品質を有する一部のチャネルが情報伝送チャネルとして選択され、残りのチャネルは、固定情報を送信するために一般的に使用される凍結ビット伝送チャネルとして使用される。復号中に、凍結ビットとチャネルとの間に対応関係がない場合、復号プロセスは収束しない場合がある。換言すれば、復号を適切に行うことができない。
【００７３】
場合により、共通レベルダウンリンク制御情報の凍結ビットが、第1のシステムパラメータの識別子である。同様に、各共通レベルダウンリンク制御情報の凍結ビットが、対応する第1のシステムパラメータの識別子である。
【００７４】
可能な実装形態では、構成情報が、上位層シグナリングであり、上位層シグナリングが、専用無線リソース制御（Radio Resource Control、RRC）シグナリング、システムメッセージ、ランダムアクセス応答メッセージ（Msg．2）、メッセージ4（Msg．4）、またはMAC制御要素（Control Element、MAC CE）で搬送される。上位層シグナリングがRRCシグナリングで搬送されるとき、異なるUEに対して構成情報は異なる。システムメッセージは、ブロードキャストメッセージと同様にパブリックメッセージである。LTEシステムでは、コンテンションベースのランダムアクセスが、4つのメッセージMsg．1からMsg．4を有する。Msg．2は、UEによって送信されたランダムアクセスプリアンブル（Msg．1）に基づいて基地局によってUEに送信されるランダムアクセス応答メッセージ（Msg．2）である。Msg．4は、UEによって送信されたScheduled Transmission Containing（Msg．1）に基づいて基地局によってUEに送信されるContention Resolution（Msg．4）である。MAC CEは、媒体アクセス制御層における制御要素または制御粒子である。
【００７５】
以下、構成情報を説明するために2つの例を使用し、2つの例の両方とも説明のためにダウンリンクリソース割り当てタイプ2を使用する。しかしながら、2つの例では、VRBの代わりにRBが連続的に割り当てられる。
【００７６】
例1：図3は、本発明の一実施形態による、ダウンリンク制御情報フォーマットの概略図である。図3に示されるように、DCIフォーマットのCRCは、セル共通識別子を用いてスクランブルされる。
【００７７】
図3の第1のフィールドは、第2のシステムパラメータの識別子を示すために使用される。フィールドによって占有されるビット数は
【数５】
2020504546.tif 000007
であり、Kは、ネットワークデバイスによってサポートされる第1のシステムパラメータの総数を表す。オーバーヘッドを減らすための方法は、Kの値がシステム動作周波数に関連するというものである。例えば、sub 6GHzの動作周波数の場合、ネットワークデバイスによってサポートされる第1のシステムパラメータは、15kHz、30kHz、および60kHzの対応するサブキャリア間隔を含み、この場合、Kの値は3であり、フィールドによって占有されるビットの数は2である。
【００７８】
図3の第2のフィールドは、左斜線で示される領域であり、第3のフィールドは、格子線で示される領域であり、第（N＋1）のフィールドは、右斜線で示される領域である。第2のフィールドから第（N＋1）のフィールドまでのフィールドのそれぞれが、2つのサブフィールドを含む。
【００７９】
第2のフィールドが例として使用される。フィールドの第1のサブフィールドは、第1のサブバンドに対応する第1のシステムパラメータの識別子を表す。第1のサブフィールドによって占有されるビット数は
【数６】
2020504546.tif 000008
であり、Kは、ネットワークデバイスによってサポートされる第1のシステムパラメータの総数を表す。このフィールドの第2のサブフィールドは、第1のサブバンドに対応する第1のシステムパラメータのリソース割り当て情報1を表す。第2のサブフィールドによって占有されるビットの数は、
【数７】
2020504546.tif 000009
であり、
【数８】
2020504546.tif 000010
は、ダウンリンクシステム帯域幅を表す。このフィールドの第2のサブフィールドはリソースインジケータ値RIVであり、これは、第1のサブバンドの開始RB（RBstart）および連続的に割り当てられたRBの長さ（LCRBs）を表すために使用される。換言すれば、第2のサブフィールドは、第1のサブバンドに対応する第1のシステムパラメータのリソース割り当て情報1を示す。他のフィールドは類推によって推定され、本明細書では細部を説明しない。
【００８０】
図3によれば、構成情報は、第1のシステムパラメータの識別子（各第1のシステムパラメータの識別子）と第2のシステムパラメータの識別子とを含み、構成情報のCRCは、セル共通識別子を用いてスクランブルされる。
【００８１】
例2：図4は、本発明の一実施形態による、別のダウンリンク制御情報フォーマットの概略図である。図4に示されるように、DCIフォーマットのCRCは、第1のシステムパラメータの識別子nを用いてスクランブルされる。第1のシステムパラメータの識別子nは、複数の第1のシステムパラメータのうちの第1のシステムパラメータの識別子を表すことができる。
【００８２】
図4の第1のフィールドは、第2のシステムパラメータの識別子を示すために使用される。フィールドによって占有されるビット数は
【数９】
2020504546.tif 000011
であり、Kは、ネットワークデバイスによってサポートされる第1のシステムパラメータの総数を表す。オーバーヘッドを減らすための方法は、Kの値がシステム動作周波数に関連するというものである。例えば、sub 6GHzの動作周波数の場合、ネットワークデバイスによってサポートされる第1のシステムパラメータは、15kHz、30kHz、および60kHzの対応するサブキャリア間隔を含み、この場合、Kの値は3であり、フィールドによって占有されるビットの数は2である。
【００８３】
図4の第2のフィールドは、第1のサブバンドに対応する第1のシステムパラメータのリソース割り当て情報nを示すのに用いられ、このフィールドによって占有されるビット数は、
【数１０】
2020504546.tif 000012
である。このフィールドはリソースインジケータ値RIVであり、これは、第1のサブバンドの開始RB（RBstart）および連続的に割り当てられたRBの長さ（LCRBs）を示すために使用される。1つのDCIは、第1のシステムパラメータの識別子を用いてスクランブルされた1つのCRCに対応し、1つのDCIは、第1のシステムパラメータの1つのリソース割り当て情報に対応することに留意されたい。対応するリソース割り当て情報は、スクランブルされたCRC内の第1のシステムパラメータの識別子に基づいて決定される。
【００８４】
図4によれば、構成情報は、第2のシステムパラメータの識別子を含み、構成情報のCRCは、第1のシステムパラメータの識別子を用いてスクランブルされる。
【００８５】
図3および図4のリソース割り当て情報は、周波数ドメインリソースの割り当て情報であり、ダウンリンクリソース割り当てタイプ2に基づいて周波数ドメインで連続している。他のリソース割り当てタイプの場合、リソース割り当て情報によって示されるリソースは異なり、具体的なリソース割り当てタイプに基づいて決定される。リソースは、周波数ドメインにおいて連続であっても連続でなくてもよい。
【００８６】
202．ユーザ機器は、ネットワークデバイスによって送信された構成情報を受信する。
【００８７】
第1のシステムパラメータの周波数ドメインリソースの割り当て情報、第1のシステムパラメータ、および第2のシステムパラメータが、第1のシステムパラメータの周波数ドメインリソースを決定するために使用される。この場合、複数の第1のシステムパラメータのうちのいずれか1つの周波数ドメインリソースが決定される。類推によって、各第1のシステムパラメータの周波数ドメインリソースが決定され得、次いで、複数の第1のシステムパラメータの周波数ドメインリソースが決定され得る。
【００８８】
ユーザ機器は、第2のシステムパラメータに基づいてシステム周波数ドメインリソースを分割する。例えば、第2のシステムパラメータに対応するサブキャリア間隔サイズが60kHzである場合、ユーザ機器は、60kHzに基づいてシステム周波数ドメインリソースを分割し、システム周波数ドメインリソースに0からN−1まで番号付けする。
【００８９】
ユーザ機器は、第1のシステムパラメータの周波数ドメインリソースの割り当て情報、第1のシステムパラメータ、および第2のシステムパラメータに基づく分割後に取得されたシステム周波数ドメインリソースに基づいて、第1のシステムパラメータの周波数ドメインリソースを決定することができる。換言すれば、ユーザ機器は、ネットワークデバイスによって第1のシステムパラメータに割り当てられる周波数ドメインリソースを決定する。第1のシステムパラメータは、複数の第1のシステムパラメータのうちの1つである。
【００９０】
構成情報が共通レベルダウンリンク制御情報である場合、DCIを受信するとき、ユーザ機器は、DCIのスクランブル方式に基づいて対応するブラインド検出を実行する、またはDCIを受信するとき、ユーザ機器は、DCIの凍結ビットに基づいて復号を実行する。
【００９１】
図3に示される例1に基づいて、ユーザ機器は、図3に示される各フィールドを取得するために、セル共通識別子を使用することによってDCIをブラインド検出する。ユーザ機器は、第1のフィールドに基づいて第2のシステムパラメータを決定し、第2のシステムパラメータに基づいてシステム周波数ドメインリソースを分割し、システム周波数ドメインリソースに番号付けする。すべての第1のシステムパラメータの識別子は、同じ数のビット、すなわち
【数１１】
2020504546.tif 000013
によって表される。従って、ネットワークデバイスによってサポートされる複数の第1のシステムパラメータは、事前定義された規則に従って番号付けされ得る、例えばサブキャリア間隔の昇順で番号付けされ得る。15kHz、30kHz、および60kHzがサポートされている場合、「00」は15kHzを示し、「01」は30kHzを示し、「10」は60kHzを示す。第2のシステムパラメータも60kHzの場合、第1のフィールドは  、「10」である。
【００９２】
ユーザ機器は、第2のフィールドの第1のサブフィールドのビットの値
【数１２】
2020504546.tif 000014
に基づいて、第1のサブバンドに対応する第1のシステムパラメータの識別子を決定し、ユーザ機器は、第1のサブバンドの開始RB（
【数１３】
2020504546.tif 000015
）および第2のフィールドの第2のサブフィールドのビットの値
【数１４】
2020504546.tif 000016
に基づいて、連続的に割り当てられたRBの長さ（
【数１５】
2020504546.tif 000017
）をさらに決定する。換言すれば、ユーザ機器は、第1のサブバンドに対応する第1のシステムパラメータの周波数ドメインリソースの割り当て情報を決定する。
【数１６】
2020504546.tif 000018
、
【数１７】
2020504546.tif 000019
、かつ
【数１８】
2020504546.tif 000020
である場合、ならびにその逆の場合、
【数１９】
2020504546.tif 000021
および
【数２０】
2020504546.tif 000022
となる。
【００９３】
上述の方法によれば、ユーザ機器は、第3のフィールド、第4のフィールドなどに基づいて、それぞれ第2のサブバンド、第3のサブバンドなどに対応する第1のシステムパラメータの識別子を決定し、各サブバンドのそれぞれの開始RBおよび連続的に割り当てられたRBの長さを決定する。
【００９４】
ユーザ機器は、全サブバンドに対応する第1のシステムパラメータの識別子に基づいて、全サブバンドに対応する第1のシステムパラメータの開始RB（RBstart）および連続的に割り当てられたRBの長さ（RBstart）を計算する。例えば、第2のシステムパラメータのサブキャリア間隔が60kHzであり、サブバンドによって使用される第1のシステムパラメータに対応するサブキャリア間隔が30kHzである場合、
【数２１】
2020504546.tif 000023
および
【数２２】
2020504546.tif 000024
となる。
【００９５】
図5は、図3に基づいてユーザ機器によって取得された周波数帯域分割情報の概略図である。周波数帯域割り当て情報は、15kHz、60kHz、および30kHzのサブキャリア間隔に対応する第1のシステムパラメータの周波数ドメインリソースの割り当て情報を個別に示し、第2のシステムパラメータのサブキャリア間隔は60kHzである。
【００９６】
図4に示す例2によれば、ユーザ機器は、ユーザ機器によってサポートされる第1のシステムパラメータの識別子を使用することによってDCIをブラインド検出する。ユーザ機器によって要求される第1のシステムパラメータの識別子が、第2のフィールドに対応する第1のシステムパラメータの識別子と同じである場合にのみ、ユーザ機器は、図4に示されるフィールドを取得するために、DCIを適切にブラインド検出することができる。ユーザ機器は、第1のフィールドに基づいて第2のシステムパラメータを決定し、第2のシステムパラメータに基づいてシステム周波数ドメインリソースを分割し、システム周波数ドメインリソースに番号付けする。適切なブラインド検出の場合、ユーザ機器は、第2のフィールドに基づいて、ユーザ機器によってサポートされる第1のシステムパラメータの周波数ドメインリソースの割り当て情報を決定する。
【００９７】
図6は、図4に基づいてユーザ機器によって取得された周波数帯域分割情報の概略図である。第2のシステムパラメータのサブキャリア間隔は60kHzであり、ユーザ機器によってサポートされる第1のシステムパラメータのサブキャリア間隔サイズは30kHzであり、ユーザ機器は30kHzに対応するサブバンドの開始RBおよび連続して割り当てられたRBの長さのみを取得する。追加のシグナリング指示がない場合、ユーザ機器は、他の周波数帯域をブランクのリソースとみなす。
【００９８】
例1と比べて、例2におけるDCIは比較的小さく、UEに対するブラインド検出の複雑さをある程度まで低減することができる。UEが別の第1のシステムパラメータの周波数ドメインリソースの割り当て情報を取得する必要がある場合、UEは、複数の第1のシステムパラメータの識別子を試す必要があり、検出時間量はある程度増加する。
【００９９】
ユーザ機器は、要件に基づいて1つ以上の第1のシステムパラメータの周波数ドメインリソースを決定し得る。例えば、図5の場合、ユーザ機器は複数の第1のシステムパラメータの周波数ドメインリソースを決定でき、図6の場合、ユーザ機器はユーザ機器によってサポートされる第1のシステムパラメータの周波数ドメインリソースを決定でき、ユーザ機器によってサポートされる1つ以上の第1のシステムパラメータがあり得る。
【０１００】
203．ユーザ機器は、複数の第1のシステムパラメータのうちの少なくとも1つの周波数ドメインリソースに対応する時間−周波数リソース内の少なくとも1つのリソース要素上で、物理チャネルに対応する情報および／または物理信号に対応する情報を送信する。
【０１０１】
少なくとも1つの第1のシステムパラメータの周波数ドメインリソースを決定した後、ユーザ機器は、周波数ドメインリソースに対応する時間−周波数リソース内の少なくとも1つのリソース要素上で、物理チャネルに対応する情報および／または物理信号に対応する情報を送信する。少なくとも1つの第1のシステムパラメータの周波数ドメインリソースについて、図6では、ユーザ機器が1つの第1のシステムパラメータをサポートする場合、少なくとも1つの第1のシステムパラメータの周波数ドメインリソースは、第1のシステムパラメータに対応する周波数ドメインリソースであり、ユーザ機器が2つ以上の第1のシステムパラメータをサポートする場合、少なくとも1つの第1のシステムパラメータの周波数ドメインリソースは、2つ以上の第1のシステムパラメータに対応する周波数ドメインリソースであり、図5では、少なくとも1つの第1のシステムパラメータの周波数ドメインリソースは、複数の第1のシステムパラメータに対応する周波数ドメインリソースであることを理解されたい。
【０１０２】
一般に、1つのサブフレームが2つのスロット（slot）を含み、1つのスロットは、7個のシンボルを含む。1つのリソースブロック（Resource Block、RB）は、周波数ドメインに12個のサブキャリア、そして時間ドメインに1つのスロットを含み、1つのRBは、7×12＝84個のREを含む。REの水平方向は時間ドメインリソースを表し、REの垂直方向は周波数ドメインリソースを表す。少なくとも1つの第1のシステムパラメータに対応する周波数ドメインリソースを決定した後、ユーザ機器は、少なくとも1つの第1のシステムパラメータに対応する周波数ドメインリソースに基づいて、少なくとも1つの第1のシステムパラメータに対応する時間−周波数リソースを決定する。この場合、少なくとも1つの第1のシステムパラメータに対応する時間−周波数リソースは少なくとも1つのリソース要素を含む。
【０１０３】
ユーザ機器は、少なくとも1つのリソース要素上でアップリンクまたはダウンリンク情報送信を実行する。情報は、物理チャネルに対応する情報であってもよいし、物理信号に対応する情報であってもよいし、物理チャネルに対応する情報および物理信号に対応する情報であってもよい。
【０１０４】
物理チャネルに対応するリソース要素は、上位層からの情報を搬送するために使用され、物理チャネルは、物理アップリンク／ダウンリンク制御チャネル、物理アップリンク／ダウンリンク共有チャネル、物理ランダムアクセスチャネル、物理ブロードキャストチャネル、および物理マルチキャストチャネルを含み得る。
【０１０５】
物理信号に対応するリソース要素は、物理層送信に使用され、上位層からの情報を運ばない。物理信号は、参照信号、同期信号、および発見信号を含み得る。
【０１０６】
場合により、ユーザ機器によってサポートされる第1のシステムパラメータを使用することによって対応する周波数ドメインリソース割り当て情報をブラインド検出または復号するとき、ユーザ機器は、対応する周波数ドメインリソースを決定し、周波数ドメインリソースに対応する時間−周波数リソース内の少なくとも1つのリソース要素上で、物理チャネルに対応する情報および／または物理信号に対応する情報を送信する。
【０１０７】
本発明の実施形態では、ネットワークデバイスは、複数の第1のシステムパラメータに対応する周波数ドメインリソースを示すために、複数の第1のシステムパラメータの周波数ドメインリソースの割り当て情報を含む構成情報をユーザ機器に送信し、その結果、ユーザ機器は、必要な周波数ドメインリソースに対応する時間−周波数リソース内の少なくとも1つのリソース要素上で、物理チャネルに対応する情報および／または物理信号に対応する情報を送信し、複数のシステムパラメータの共存シナリオにおけるリソース割り当てステータスが示される。
【０１０８】
LTEシステムでは、RBリソースの動的スケジューリングはeNB側で実施され、ここでの「RBリソース」は、実際にはPRBではなくVRB（Virtual RB）である。VRBとPRBとの間には異なるマッピング関係がある。最も単純なマッピング関係は、VRBの位置がPRBの位置と同じであり、VRBの位置とPRBの位置との間に1対1の対応関係があるというものである。別の比較的複雑な関係は、VRBとPRBとの間に1対1の対応関係はないが、具体的なマッピング関係によっては、VRBを使用してPRBの位置を明示的に推測できるというものである。前者の1対1対応の単純な関係は集中型リソース割り当てである一方、後者の比較的複雑なマッピング関係は分散型リソース割り当てである。
【０１０９】
リソースをスケジューリングするとき、eNB側は、異なるシナリオに基づいて異なる割り当て方式を使用することができる。集中型リソース割り当ては、UEのレートおよびセル全体のスループットを向上させることができ、分散型リソース割り当ては、送信の信頼性を向上させることができる。
【０１１０】
ダウンリンクVRBは、集中型VRBリソースマッピング方式と分散型VRBリソースマッピング方式との2つのリソースマッピング方式を有する。集中型リソースマッピング方式では、VRBペアとPRBペアとは1対1対応関係にある。換言すれば、VRBの位置はPRBの位置である。RBリソースブロックシーケンス番号nPRB＝nVRBであり、0から
【数２３】
2020504546.tif 000025
までの範囲である。図7aは、5MHzの帯域幅にVRBリソースが集中型方式で割り当てられる場合のPRBとVRBとの間の位置関係である。
【０１１１】
分散型リソースマッピング方式では（図7bに示されるように）、VRBペアとPRBペアとは1対1に対応せず、連続したVRBシーケンス番号は不連続なPRBシーケンス番号にマッピングされ、1つのサブフレーム内の2つのスロットは異なるマッピング関係を有する。この方法を使用することによって、「分散型」リソース割り当てが達成される。連続したVRBペアが不連続なPRBペアにマッピングされるか、各PRBペアが分離され、1つのPRBペアの2つのRBリソースが特定の周波数間隔で送信される（スロットベースの周波数ホッピング（hopping）とみなされ得る）かにかかわらず、目的は周波数のダイバーシチ効果を達成することである。
【０１１２】
図7bは、ダウンリンク帯域幅が5MHzである分散型リソース割り当てプロセスの概略図である。この図は、単に分散型プロセスを理解するのを助けるために使用されており、PRBの実際のマッピング位置が図7bに示されているものと同じであることを表すものではない。図は単純で直感的で、このプロセスをよく説明できる。以下、プロトコルの観点からこのマッピング関係を、すなわちVRBペアからPRBペアの実際のマッピング位置をどのように取得するかを、具体的に説明する。
【０１１３】
ステップ1：インターリーブ（interleaving）は、（1）Ngapの値、Pの値、およびVRBペアの数を決定することであって、Ngapは、RBペア間の周波数オフセットを示すために使用され、この値は、RBの数の単位で測定され、システム帯域幅と共に変化し、システム帯域幅が決定されると、この値が決定され、Pは、RBGのサイズを示すために使用され、Pの値はシステム帯域幅に関連する、ことと、（2）VRBインターリーブ行列を決定すること、すなわち「水平配置」と、（3）VRBに対応するPRBを決定すること、すなわち「列フェッチ」と、を含む。
【０１１４】
ステップ2：スロット間の周波数ホッピングは、同じVRB番号に対して、奇数スロット内のRBは偶数スロットに基づいてVRBインターリーブ単位内で
【数２４】
2020504546.tif 000026
だけオフセットされることを含む。
【０１１５】
VRBからPRBへの分散型マッピングにおけるパラメータの選択は、システム帯域幅に依存する。複数のシステムパラメータの共存シナリオでは、異なるサブキャリア間隔は異なるOFDMシンボル周波数ドメイン幅を示すため、RBは一様に番号付けすることができない。この場合、上述の分散型マッピングを使用することは、異なるシステムパラメータに対応するRB番号の乱れを引き起こす。直感的な解決策は、上述の分散が同じシステムパラメータによって占有される帯域幅内でのみ実行され、システムパラメータにわたっては実行しないというものである。しかしながら、UEは、周波数ドメイン開始RBおよび周波数ドメイン幅を含む各システムパラメータに対応する周波数ドメインリソース位置を明確に知る必要がある。
【０１１６】
これを考慮して、本発明の実施形態は、仮想リソースブロックを物理リソースブロックにマッピングするための方法、ネットワークデバイス、およびユーザ機器を提供し、これは、複数のシステムパラメータの共存シナリオに適用可能であり、複数のシステムパラメータの共存シナリオにおけるリソース割り当てを示すことができる。
【０１１７】
マッピング方法は、図2に示す実施形態におけるステップ203の詳細化処理であることに留意されたい。
【０１１８】
図7は、本発明の一実施形態による仮想リソースブロックを物理リソースブロックにマッピングするための方法の概略的な通信図である。本方法は、ステップ301とステップ302とを含む。
【０１１９】
301．ネットワークデバイスがスケジューリング情報をユーザ機器に送信し、スケジューリング情報が、少なくとも1つの第1のシステムパラメータに対応する第1の仮想リソースブロックとマッピング指示情報とを含む。
【０１２０】
少なくとも1つの第1のシステムパラメータの説明については、ステップ203の対応する説明を参照されたく、ここでは細部を繰り返し説明しない。
【０１２１】
スケジューリング情報は、DCIであり、DCIのフォーマットは、マッピング方式指示ビットを含む。このビットは、マッピング指示情報を示し、指示されるマッピング方式でリソースブロックマッピングを実行するようにユーザ機器に命令するために使用される。示されるマッピング方式は、集中型マッピングまたは新しい分散型マッピングであり得、新しい分散型マッピングは、まず分散型マッピングし、その後、集中型マッピングするものである。
【０１２２】
少なくとも1つの第1のシステムパラメータに対応する第1の仮想リソースブロックは、すべての第1のシステムパラメータに対応する第1の仮想リソースブロックの番号を含む。図8は、図7に示される実施形態による例示的なマッピングの概略図である。少なくとも1つの第1のシステムパラメータは、15kHzのサブキャリア間隔に対応する2つの第1のシステムパラメータと、30kHzのサブキャリア間隔に対応する第1のシステムパラメータと、を含む。15kHzのサブキャリア間隔に対応する2つの第1のシステムパラメータに対応する第1の仮想リソースブロックの番号は、それぞれ0〜19および20〜49であり、30kHzのサブキャリア間隔に対応する第1のシステムパラメータに対応する第1の仮想リソースブロックの番号は、0〜39である。
【０１２３】
302．ユーザ機器は、ネットワークデバイスによって送信されたスケジューリング情報を受信する。
【０１２４】
303．ユーザ機器は、少なくとも1つの第1のシステムパラメータに対応する物理リソースブロックを取得するために、スケジューリング情報に基づいてリソースブロックマッピングを実行する。
【０１２５】
具体的には、マッピング指示情報によって示されるマッピング方式が集中型マッピングである場合、ユーザ機器は、集中型マッピング方式で、すべての第1のシステムパラメータに対応する第1の仮想リソースブロックの番号に基づいて、すべての第1のシステムパラメータに対応する第1の仮想リソースブロックを対応する物理リソースブロックにマッピングする。
【０１２６】
マッピング指示情報によって示されるマッピング方式が新しい分散型マッピングである場合、ユーザ機器は、分散型マッピング方式で、すべての第1のシステムパラメータに対応する第1の仮想リソースブロックを第2の仮想リソースブロックにまずマッピングする。具体的には、nVRB，2＝M（nVRB，1）であり、Mは、インターリーブおよびスロット間の周波数ホッピングのうちの少なくとも1つを含む分散型マッピング方式を表し、nVRB，1は、第1の仮想リソースブロックの番号を表し、nVRB，1の値が0からNVRB，1−1であり、NVRB，1＝NRBであり、NRBは、時間−周波数リソースの周波数ドメインにおいて所与の第1のシステムパラメータによって占有されるRBの数である。図8に示すように、サブキャリア間隔サイズが30kHzの第1のシステムパラメータに対応する第1の仮想リソースブロックの番号は0〜39であり、占有されるRBの数は40である。nVRB，2は、第2の仮想リソースブロックの番号を示す。図8に示すように、サブキャリア間隔サイズが30kHzの第1のシステムパラメータに対応する第1の仮想リソースブロックの番号は0〜39であり、マッピングされた第2の仮想リソースブロックの番号は0〜39である。サブキャリア間隔サイズが15kHzの2つの第1のシステムパラメータに対応する第1の仮想リソースブロックの番号は、それぞれ0〜19および20〜49であり、マッピングされた第2の仮想リソースブロックの番号は、0〜49の連続する番号である。
【０１２７】
次いで、ユーザ機器は、集中型マッピング方式で、すべての第1のシステムパラメータに対応する第2の仮想リソースブロックを物理リソースブロックにマッピングし、具体的には、nPRB＝nVRB，2である。図8に示すように、サブキャリア間隔サイズが15kHzの2つの第1のシステムパラメータに対応する物理リソースブロックは不連続であり、0〜49まで一様に番号付けされる。30kHzのサブキャリア間隔サイズの第1のシステムパラメータに対応する物理リソースブロックの番号は、0〜39である。
【０１２８】
ステップ303は、あるセグメントの帯域幅内で実行されることに留意されたい。帯域幅は、システム帯域幅であってもよいし、システム帯域幅内の連続する帯域幅のセグメントであってもよいし、連続する帯域幅の複数のセグメントを低周波数から高周波数まで連結することによって形成される連続する帯域幅のセグメントであってもよい。
【０１２９】
304．ユーザ機器は、物理リソースブロック上で、物理チャネルに対応する情報および／または物理信号に対応する情報を送信する。
【０１３０】
ユーザ機器は、物理リソースブロックのうちの一部または全部のリソースブロック上で、物理チャネルに対応する情報および／または物理信号に対応する情報を送信する。
【０１３１】
本発明の本実施形態では、マッピングは、分散型マッピング方式と集中型マッピング方式とを組み合わせた方式で実行され得る。これは、少なくとも1つのシステムパラメータの共存シナリオに適用可能であり、少なくとも1つのシステムパラメータの共存シナリオにおけるリソース割り当てを示すことができる。
【０１３２】
図9aは、本発明の一実施形態によるユーザ機器の概略的な構成図である。ユーザ機器900は、受信ユニット901と送信ユニット902とを備える。
【０１３３】
受信ユニット901は、ネットワークデバイスによって送信された構成情報を受信するように構成され、構成情報が、複数の第1のシステムパラメータの周波数ドメインリソースの割り当て情報を含む。
【０１３４】
送信ユニット902は、複数の第1のシステムパラメータのうちの少なくとも1つの周波数ドメインリソースに対応する時間−周波数リソース内の少なくとも1つのリソース要素上で、物理チャネルに対応する情報および／または物理信号に対応する情報を送信するようにさらに構成される。
【０１３５】
第1のシステムパラメータは、第1のサブキャリア間隔サイズ、サイクリックプレフィックス長、送信時間間隔長、シンボル長、およびシンボル数などのパラメータのうちの少なくとも1つを含む。
【０１３６】
可能な実装形態では、第1のシステムパラメータの周波数ドメインリソースが、第1のシステムパラメータの周波数ドメインリソースの割り当て情報、第1のシステムパラメータ、および第2のシステムパラメータによって決定され、第2のシステムパラメータが、第2のサブキャリア間隔サイズを含む。
【０１３７】
可能な実装形態では、複数の第1のシステムパラメータが、ネットワークデバイスによってサポートされるシステムパラメータであり、第2のシステムパラメータが、システム周波数ドメインリソースを分割するための基準システムパラメータである。
【０１３８】
可能な実装形態では、構成情報が、第2のシステムパラメータの識別子をさらに含む。
【０１３９】
可能な実装形態では、構成情報が、第1のシステムパラメータの識別子をさらに含む。
【０１４０】
可能な実装形態では、構成情報が、共通レベルダウンリンク制御情報であり、共通レベルダウンリンク制御情報のサイクリックリダンダンシチェックが、セル共通識別子を用いてスクランブルされる、または共通レベルダウンリンク制御情報の凍結ビットが、セル共通識別子である。
【０１４１】
可能な実装形態では、構成情報が、共通レベルダウンリンク制御情報であり、共通レベルダウンリンク制御情報のサイクリックリダンダンシチェックが、第1のシステムパラメータの識別子を用いてスクランブルされる、または共通レベルダウンリンク制御情報の凍結ビットが、第1のシステムパラメータの識別子である。
【０１４２】
可能な実装形態では、構成情報が、上位層シグナリングであり、上位層シグナリングが、専用無線リソース制御シグナリング、システムメッセージ、ランダムアクセス応答メッセージ、メッセージ4、または媒体アクセス制御の制御要素で搬送される。
【０１４３】
受信ユニット901は、図2に示される実施形態ではステップ202を実行するように構成され、図7に示される実施形態ではステップ302を実行するようにさらに構成されることに留意されたい。送信ユニット902は、図2に示される実施形態ではステップ203を実行するように構成され、図7に示される実施形態ではステップ304を実行するようにさらに構成される。ユーザ機器900は、図7に示される実施形態においてステップ303を実行するように構成された処理ユニット903をさらに備える。
【０１４４】
処理ユニット903は、プロセッサまたはコントローラであってもよく、例えば、中央演算装置（Central Processing Unit、CPU）、汎用プロセッサ、デジタルシグナルプロセッサ（Digital Signal Processor、DSP）、特定用途向け集積回路（Application−Specific Integrated Circuit、ASIC）、フィールドプログラマブルゲートアレイ（Field Programmable Gate Array、FPGA）、もしくは別のプログラマブルロジックデバイス、トランジスタロジックデバイス、ハードウェアコンポーネント、またはこれらの任意の組み合わせであってもよい。コントローラ／プロセッサは、本発明で開示された内容に関連して説明された様々な例示的な論理ブロック、モジュール、および回路を実装または実行することができる。あるいは、プロセッサは、計算機能を実行するプロセッサの組み合わせ、例えば、1つ以上のマイクロプロセッサの組み合わせ、またはDSPとマイクロプロセッサとの組み合わせであってもよい。受信ユニット901および送信ユニット902は、送受信機、送受信機回路、通信モジュールなどであってもよい。
【０１４５】
処理ユニット902がプロセッサであり、受信ユニット901および送信ユニット902が通信モジュールであるとき、本発明の実施形態におけるユーザ機器は、図9bに示されるユーザ機器であり得る。
【０１４６】
図9bを参照すると、ユーザ機器910は、電源911と、ユーザインターフェース912と、通信モジュール913と、プロセッサ914と、表示システム919と、センサシステム916と、オーディオシステム917と、を備える。ユーザ機器910は、図1のユーザ機器を表してもよいし、自動車、非自動車、道路上の別の通信機器、またはインテリジェント家電などの電子デバイスを表してもよいことに留意されたい。図9bに示されるユーザ機器の構造は、本発明の実施形態に対する限定を構成しない。
【０１４７】
電源911は、ユーザ機器910の様々な機能を実装するための電力を供給する。ユーザインターフェース912は、別のデバイスまたは装置とユーザ機器910との間の通信またはデータ伝送を実施するために、ユーザ機器910を別のデバイスまたは装置に接続するように構成される。通信モジュール913は、ユーザ機器910と基地局または衛星などのネットワークデバイスとの間の通信またはデータ伝送を実施するように構成され、ユーザ機器910と別のユーザ機器との間の通信またはデータ伝送を実施するようにさらに構成される。本発明の本実施形態に適用されると、通信モジュール913は、図9aに示される受信ユニット901および送信ユニット902の機能を実施するように構成される。プロセッサ914は、本発明で開示された内容に関連して説明された様々な例示的な論理ブロック、モジュール、および回路を実装または実行することができる。本発明の本実施形態に適用されると、プロセッサ914は、図9aに示される処理ユニット903の機能を実施するように構成される。表示システム919は、情報を出力し表示したり、ユーザ入力操作を受け付けたりするように構成される。センサシステム916は、温度センサまたは距離センサなどの様々なセンサを含む。オーディオシステム917は、オーディオ信号を出力するように構成される。
【０１４８】
図10aは、本発明の一実施形態によるネットワークデバイスの概略的な構造図である。ネットワークデバイス1000は、送信ユニット1001を備える。
【０１４９】
送信ユニット1001は、構成情報をユーザ機器に送信するように構成され、構成情報が、複数の第1のシステムパラメータの周波数ドメインリソースの割り当て情報を含み、複数の第1のシステムパラメータのうちの少なくとも1つの周波数ドメインリソースに対応する時間−周波数リソースにおける少なくとも1つのリソース要素は、物理チャネルに対応する情報および／または物理信号に対応する情報を送信するためにユーザ機器によって使用される。
【０１５０】
第1のシステムパラメータは、第1のサブキャリア間隔サイズ、サイクリックプレフィックス長、送信時間間隔長、シンボル長、およびシンボル数などのパラメータのうちの少なくとも1つを含む。
【０１５１】
ネットワークデバイス1000は、複数の第1のシステムパラメータの周波数ドメインリソースの割り当て情報を取得するために、複数の第1のシステムパラメータに周波数ドメインリソースを割り当てるように構成される、処理ユニット1002をさらに備える。
【０１５２】
送信ユニット1001は、図2に示される実施形態ではステップ201を実行するように構成され、図7に示される実施形態ではステップ301を実行するようにさらに構成されることに留意されたい。
【０１５３】
処理ユニット1002は、プロセッサまたはコントローラであってもよく、例えば、CPU、汎用プロセッサ、DSP、ASIC、FPGA、もしくは別のプログラマブルロジックデバイス、トランジスタロジックデバイス、ハードウェアコンポーネント、またはこれらの任意の組み合わせであってもよい。コントローラ／プロセッサは、本発明で開示された内容に関連して説明された様々な例示的な論理ブロック、モジュール、および回路を実装または実行することができる。あるいは、プロセッサは、計算機能を実行するプロセッサの組み合わせ、例えば、1つ以上のマイクロプロセッサの組み合わせ、またはDSPとマイクロプロセッサとの組み合わせであってもよい。送信ユニット1001は、送受信機、送受信機回路、通信インターフェースなどであってもよい。
【０１５４】
処理ユニット1002がプロセッサであり、送信ユニット1001が送受信機であるとき、本発明の本実施形態におけるネットワークデバイスは、図10bに示されるネットワークデバイスであり得る。
【０１５５】
図10bを参照すると、ネットワークデバイス1010は、プロセッサ1011と、送受信機1012と、アンテナと、を備える。実際の適用において、送受信機1012の数は2つに限定されず、アンテナの数も2つに限定されず、ネットワークデバイス1010の構造は、本発明の実施形態に対する限定を構成しないことに留意されたい。
【０１５６】
プロセッサ1011は、4つの構成要素、すなわち、セルコントローラと、音声チャネルコントローラと、シグナリングチャネルコントローラと、拡張に使用されるマルチパスインターフェースと、を主に備える。プロセッサ1011は、主に無線チャネルの割り当て、解放、および管理である、すべてのモバイル通信インターフェースの管理を担当する。本発明の本実施形態に適用されると、プロセッサ1011は、図10aに示される処理ユニット1002の機能を実施するように構成される。送受信機1012は、受信機と送信機とを備える。ユーザ機器の場合、送受信機は、送信機を使用することによってアップリンクデータを送信し、受信機を使用することによってダウンリンクデータを受信することができる。本発明の本実施形態に適用されると、送受信機1012は、図10aに示される送信ユニット1001の機能を実施するように構成される。
【０１５７】
本発明の一実施形態は、図9aに示されるユーザ機器および図10aに示されるネットワークデバイス、または図9bに示されるユーザ機器および図10bに示されるネットワークデバイスを備える、リソース指示システムをさらに提供する。
【０１５８】
上述した実施形態では、各実施形態の説明には、それぞれの重点がある。一実施形態において詳細に記載されていない部分については、他の実施形態における関連説明を参照されたい。
【０１５９】
当業者には、関連ハードウェアに要求するコンピュータプログラムによって、各実施形態における方法のプロセスの全部または一部を実現することができることが理解されよう。プログラムは、コンピュータ可読記憶媒体に記憶することができる。プログラムが実行されると、実施形態の方法のプロセスが行われる。上述の記憶媒体は、磁気ディスク、光ディスク、読み出し専用メモリ（Read−Only Memory、ROM）、ランダムアクセスメモリ（Random Access Memory、RAM）を含み得る。
【０１６０】
上の開示は、本発明の単なる例示的な実施形態であり、当然のことながら、本発明の保護範囲を限定することを意図するものではない。従って、本発明の特許請求の範囲に従ってなされる均等な変形は、本発明の範囲に包含されるものとする。
【符号の説明】
【０１６１】
900  ユーザ機器
901  受信ユニット
902  送信ユニット
903  処理ユニット
910  ユーザ機器
911  電源
912  ユーザインターフェース
913  通信モジュール
914  プロセッサ
916  センサシステム
917  オーディオシステム
919  表示システム
1000  ネットワークデバイス
1001  送信ユニット
1002  処理ユニット
1010  ネットワークデバイス
1011  プロセッサ
1012  送受信機
【図１】
2020504546.tif 000027
【図１ａ】
2020504546.tif 000028
【図２】
2020504546.tif 000029
【図３】
2020504546.tif 000030
【図４】
2020504546.tif 000031
【図５】
2020504546.tif 000032
【図６】
2020504546.tif 000033
【図７】
2020504546.tif 000034
【図７ａ】
2020504546.tif 000035
【図７ｂ】
2020504546.tif 000036
【図８】
2020504546.tif 000037
【図９ａ】
2020504546.tif 000038
【図９ｂ】
2020504546.tif 000039
【図１０ａ】
2020504546.tif 000040
【図１０ｂ】
2020504546.tif 000041
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
ユーザ機器によって、ネットワークデバイスによって送信された構成情報を受信するステップであって、前記構成情報が、複数の第1のシステムパラメータの周波数ドメインリソースの割り当て情報を含む、ステップと、
前記ユーザ機器によって、前記複数の第1のシステムパラメータのうちの少なくとも1つの周波数ドメインリソースに対応する時間−周波数リソース内の少なくとも1つのリソース要素上で、物理チャネルに対応する情報および／または物理信号に対応する情報を送信するステップと、
を含む、リソース指示方法であって、
前記第1のシステムパラメータが、第1のサブキャリア間隔サイズ、サイクリックプレフィックス長、送信時間間隔長、シンボル長、およびシンボル数などのパラメータのうちの少なくとも1つを含む、
リソース指示方法。
【請求項２】
前記第1のシステムパラメータの前記周波数ドメインリソースが、前記第1のシステムパラメータの前記周波数ドメインリソースの割り当て情報、前記第1のシステムパラメータ、および第2のシステムパラメータによって決定され、前記第2のシステムパラメータが、第2のサブキャリア間隔サイズを含む、請求項1に記載の方法。
【請求項３】
前記複数の第1のシステムパラメータが、前記ネットワークデバイスによってサポートされるシステムパラメータであり、前記第2のシステムパラメータが、システム周波数ドメインリソースを分割するための基準システムパラメータである、請求項2に記載の方法。
【請求項４】
前記構成情報が、前記第2のシステムパラメータの識別子をさらに含む、請求項1から3のいずれか一項に記載の方法。
【請求項５】
前記構成情報が、前記第1のシステムパラメータの識別子をさらに含む、請求項1から4のいずれか一項に記載の方法。
【請求項６】
前記構成情報が、共通レベルダウンリンク制御情報であり、前記共通レベルダウンリンク制御情報のサイクリックリダンダンシチェックが、セル共通識別子を用いてスクランブルされる、または前記共通レベルダウンリンク制御情報の凍結ビットが、前記セル共通識別子である、請求項5に記載の方法。
【請求項７】
前記構成情報が、共通レベルダウンリンク制御情報であり、前記共通レベルダウンリンク制御情報のサイクリックリダンダンシチェックが、前記第1のシステムパラメータの識別子を用いてスクランブルされる、または前記共通レベルダウンリンク制御情報の凍結ビットが、前記第1のシステムパラメータの前記識別子である、請求項1から4のいずれか一項に記載の方法。
【請求項８】
前記構成情報が、上位層シグナリングであり、前記上位層シグナリングが、専用無線リソース制御シグナリング、システムメッセージ、ランダムアクセス応答メッセージ、メッセージ4、またはMACの制御要素で搬送される、請求項1から5のいずれか一項に記載の方法。
【請求項９】
ネットワークデバイスによって送信された構成情報を受信し、前記構成情報が、複数の第1のシステムパラメータの周波数ドメインリソースの割り当て情報を含む、ように構成される、受信ユニットと、
前記複数の第1のシステムパラメータのうちの少なくとも1つの周波数ドメインリソースに対応する時間−周波数リソース内の少なくとも1つのリソース要素上で、物理チャネルに対応する情報および／または物理信号に対応する情報を送信するように構成される、送信ユニットと、
を備える、ユーザ機器であって、
前記第1のシステムパラメータが、第1のサブキャリア間隔サイズ、サイクリックプレフィックス長、送信時間間隔長、シンボル長、およびシンボル数などのパラメータのうちの少なくとも1つを含む、
ユーザ機器。
【請求項１０】
前記第1のシステムパラメータの前記周波数ドメインリソースが、前記第1のシステムパラメータの前記周波数ドメインリソースの割り当て情報、前記第1のシステムパラメータ、および第2のシステムパラメータによって決定され、前記第2のシステムパラメータが、第2のサブキャリア間隔サイズを含む、請求項9に記載のユーザ機器。
【請求項１１】
前記複数の第1のシステムパラメータが、前記ネットワークデバイスによってサポートされるシステムパラメータであり、前記第2のシステムパラメータが、システム周波数ドメインリソースを分割するための基準システムパラメータである、請求項9または10に記載のユーザ機器。
【請求項１２】
前記構成情報が、前記第2のシステムパラメータの識別子をさらに含む、請求項9から11のいずれか一項に記載のユーザ機器。
【請求項１３】
前記構成情報が、前記第1のシステムパラメータの識別子をさらに含む、請求項9から11のいずれか一項に記載のユーザ機器。
【請求項１４】
前記構成情報が、共通レベルダウンリンク制御情報であり、前記共通レベルダウンリンク制御情報のサイクリックリダンダンシチェックが、セル共通識別子を用いてスクランブルされる、または前記共通レベルダウンリンク制御情報の凍結ビットが、前記セル共通識別子である、請求項13に記載のユーザ機器。
【請求項１５】
前記構成情報が、共通レベルダウンリンク制御情報であり、前記共通レベルダウンリンク制御情報のサイクリックリダンダンシチェックが、前記第1のシステムパラメータの識別子を用いてスクランブルされる、または前記共通レベルダウンリンク制御情報の凍結ビットが、前記第1のシステムパラメータの前記識別子である、請求項9から12のいずれか一項に記載のユーザ機器。
【請求項１６】
前記構成情報が、上位層シグナリングであり、前記上位層シグナリングが、専用無線リソース制御シグナリング、システムメッセージ、ランダムアクセス応答メッセージ、メッセージ4、またはMACの制御要素で搬送される、請求項9から15のいずれか一項に記載のユーザ機器。
【請求項１７】
プロセッサと通信モジュールとを備える、ユーザ機器であって、前記ユーザ機器が、請求項1から8のいずれか一項に記載のリソース指示方法を実行するように構成される、ユーザ機器。
【手続補正２】
【補正対象書類名】明細書
【補正対象項目名】０００６
【補正方法】変更
【補正の内容】
【０００６】
現在、各リソース割り当てタイプに対してロングタームエボリューション（Long Term Evolution、LTE）規格で提供されているリソース指示方法は、15kHzのサブキャリア間隔に対応するシステムパラメータに適用可能である。例えば、ダウンリンクリソース割り当てタイプ2の場合、ユーザ機器に割り当てられるリソースは、連続した仮想リソースブロック（Virtual Resource Block、VRBs）のセグメントである。VRBを物理リソースブロック（Physical Resource Block、PRB）にマッピングする方式は、集中型でも分散型でもよい。このリソース割り当てタイプのためのリソース指示方法は、ダウンリンク制御情報（Downlink Control Information、DCI）によって指示される。DCIフォーマットのビットは、マッピング方式が集中型または分散型であることを示すために使用され、DCIフォーマットのリソース指示ビットは、ユーザ機器に割り当てられた開始リソースブロックおよび連続して割り当てられたリソースブロックの長さを示すために使用される。
【手続補正３】
【補正対象書類名】明細書
【補正対象項目名】００２８
【補正方法】変更
【補正の内容】
【００２８】
本発明の実施形態の第4の態様は、
構成情報をユーザ機器に送信し、構成情報が、複数の第1のシステムパラメータの周波数ドメインリソースの割り当て情報を含み、複数の第1のシステムパラメータのうちの少なくとも1つの周波数ドメインリソースに対応する時間−周波数リソース内の少なくとも1つのリソース要素が、物理チャネルに対応する情報および／または物理信号に対応する情報を送信するためにユーザ機器によって使用される、ように構成される、送信ユニット
を備える、ネットワークデバイスであって、
第1のシステムパラメータが、第1のサブキャリア間隔サイズ、サイクリックプレフィックス長、送信時間間隔長、シンボル長、およびシンボル数などのパラメータのうちの少なくとも1つを含む、
ネットワークデバイスを提供する。
【手続補正４】
【補正対象書類名】明細書
【補正対象項目名】００６９
【補正方法】変更
【補正の内容】
【００６９】
受信側によって受信されるデータの精度をさらに向上させるために、受信側はデータを受信する前にエラー検出を実行する必要がある。受信側は、検出結果がデータが正しいと示す場合にのみ実際にデータを受信する。複数の検出方式が存在する。一般的な方式は、パリティチェック、インターネットチェック、サイクリックリダンダンシチェック（Cyclic Redundancy Check、CRC）などを含む。本発明の本実施形態では、CRCは、共通レベルダウンリンク制御情報を検出するために使用される。CRCは、ネットワークデータパケットやコンピュータファイルなどのデータに基づいて固定ビットで短いチェックコードを生成するハッシュ関数で、データ送信中またはデータ格納後に発生する可能性があるエラーの検出またはチェックに主に使用される。
【手続補正５】
【補正対象書類名】明細書
【補正対象項目名】００７０
【補正方法】変更
【補正の内容】
【００７０】
場合により、共通レベルダウンリンク制御情報のCRCは、セルまたはUEグループ共通識別子を使用することによってスクランブルされる。セル共通識別子は、セル内のユーザの共通情報であり、予め定義されているか、または上位層シグナリングを用いて構成されており、物理セル識別子（Physical Cell Identity、PCI）、ハイパーセル識別子（hyper−cell Identifier）、無線ネットワーク一時識別子（Radio Network Temporary Identifier、RNTI）などを含む。UEグループ共通識別子は、UEグループ内のユーザの共通情報である。
【手続補正６】
【補正対象書類名】明細書
【補正対象項目名】０１６０
【補正方法】変更
【補正の内容】
【０１６０】
上の開示は、本発明の単なる実施形態であり、当然のことながら、本発明の保護範囲を限定することを意図するものではない。従って、本発明の特許請求の範囲に従ってなされる均等な変形は、本発明の範囲に包含されるものとする。
【国際調査報告】
2020504546.tif 000042
2020504546.tif 000043
2020504546.tif 000044
2020504546.tif 000045